(57)【要約】  【課題】  裏紙を原稿として読み取らせた場合であっても，不必要な原稿面の画像を出力しないことで，経済性の高い，且つ，処理速度の速い画像処理装置を提供すること。  【解決手段】  読み取られた原稿の両面の画像データが記憶され，記憶された画像データに所定の付加情報が含まれているかどうかが判断され，かかる判断結果に基づいて，片面付加情報が含まれている場合は上記原稿の片面の画像データが出力され，両面の付加情報が含まれていると判断された場合は両面の画像データが出力される。これにより，仮に，必要な画像データが形成された裏紙を原稿として読み取らせた場合であっても，原稿面の必要な画像データのみが出力され，原稿面の不必要な画像データは出力されることがない。【選択図】図２
2005051484.tif 000002
【特許請求の範囲】
【請求項１】
原稿の両面の画像データを読み取る両面読取手段と，
上記両面読取手段により読み取られた画像データを記憶する画像データ記憶手段と，
上記画像データ記憶手段に記憶された画像データに所定の付加情報が含まれているかどうかを判断する付加情報判断手段と，
上記付加情報判断手段による判断結果に基づいて，上記原稿の片面の画像データ或いは両面の画像データを出力する画像データ出力手段と，を具備してなることを特徴とする画像処理装置。
【請求項２】
上記両面読取手段が，原稿の両面を略同時に読み取るものである請求項１に記載の画像処理装置。
【請求項３】
上記画像データ出力手段が，上記付加情報を含む原稿の画像データを出力するものである請求項１又は２に記載の画像処理装置。
【請求項４】
上記付加情報を記憶する付加情報記憶手段を更に備え，上記付加情報判断手段が，上記データ記憶手段に記憶された所定の画像データと上記付加情報記憶手段に予め記憶された付加情報との同一性の有無を判断することにより上記画像データに所定の付加情報が含まれているかどうかを判断するものである請求項１〜３のいずれかに記載の画像処理装置。
【請求項５】
上記付加情報が，印章，バーコード，或いは印字情報のいずれか１つ或いは複数からなるものである請求項１〜４のいずれかに記載の画像処理装置。
【請求項６】
上記付加情報が，上記原稿の周辺部，望ましくは右上端部，中央上端部，左上端部，右下端部，中央下端部，左下端部のいずれかの端部或いは複数の端部に印字されたものである請求項項１〜４のいずれかに記載の画像処理装置。
【請求項７】
上記付加情報が，上記原稿の主走査方向及び／又は副走査方向に印字されたものである請求項１〜４のいずれかに記載の画像処理装置。
【発明の詳細な説明】
【技術分野】
【０００１】
本発明は，記録紙の片面又は両面に画像を形成する複写機，プリンタ，印刷機等の画像形成装置に関するものである。
【背景技術】
【０００２】
近年，片面のみに印刷処理が施された片面使用済みの記録紙（以下，「裏紙」と称す。）を有効利用して地球環境を保護し，併せて企業内での記録紙の消費量を軽減して経費の削減を図る傾向にある。このような裏紙の利用形態として，裏紙の未使用面（白紙面）にプリンタ等を用いて文書データを印字出力し，続いて，上記文書データが印字された裏紙を原稿として用い，複写機等により上記文書データを複写する場合がある。
一方，特許文献１には，光学的に原稿の両面が同時に読み取られた画像データを記憶し，記憶された画像データが原稿の両面に画像を有する両面画像データであるか，原稿の片面にのみ画像を有する片面画像データであるかどうかをＯＣＲ技術等を用いて判断し，この判断の結果，両面画像データであると判断された場合は両面印刷処理を行い，片面画像データであると判断された場合は片面印刷処理を行うデジタル複写機が提案されている。
【特許文献１】特開２００１−７７９６０号公報
【発明の開示】
【発明が解決しようとする課題】
【０００３】
しかしながら，上記従来のデジタル複写機では，裏紙を読み取らせて複写する場合，裏紙両面の画像データが読み取られて，裏紙両面の画像が出力処理されることになり，即ち，複写する必要のない裏紙の使用済み面の画像データまでも出力されるため，必要以上に処理時間が費やされるだけでなく，不必要な画像を出力するために無駄な時間，電力，現像剤等を消費することとなり問題であった。
従って，本発明は上記事情に鑑みなされたものであり，その目的とするところは，裏紙を原稿として読み取らせた場合であっても，不必要な原稿面の画像を出力しないことで，経済性の高い，且つ，処理速度の速い画像処理装置を提供することにある。
【課題を解決するための手段】
【０００４】
上記目的を達成するために本発明は，原稿の両面の画像データを読み取る両面読取手段と，上記両面読取手段により読み取られた画像データを記憶する画像データ記憶手段と，上記画像データ記憶手段に記憶された画像データに所定の付加情報が含まれているかどうかを判断する付加情報判断手段と，上記付加情報判断手段による判断結果に基づいて，上記原稿の片面の画像データ或いは両面の画像データを出力する画像データ出力手段と，を具備してなることを特徴とする画像処理装置として構成されている。この場合，上記画像データ出力手段が，上記付加情報を含む原稿の画像データを出力するものであることが考えられる。また，上記両面読取手段が，原稿の両面を略同時に読み取るものも考えられる。これにより，裏紙が原稿としてセットされ，その両面が略同時に読み取られた場合であっても，不必要な原稿面の画像が出力されないため，従来費やされていた無駄な時間，電力，現像剤等の浪費をなくすことができる。
【０００５】
ここで，上記付加情報を記憶する付加情報記憶手段を更に備え，上記付加情報判断手段が，上記データ記憶手段に記憶された所定の画像データと上記付加情報記憶手段に予め記憶された付加情報との同一性の有無を判断することにより上記画像データに所定の付加情報が含まれているかどうかを判断するものが考えられる。
【０００６】
また，上記付加情報が，印章，バーコード，或いは印字情報のいずれか１つ或いは複数からなるものであってもよい。更に，上記付加情報が，上記原稿の周辺部，望ましくは右上端部，中央上端部，左上端部，右下端部，中央下端部，左下端部のいずれかの端部或いは複数の端部に印字されたものであれば，上記各部に上記付加情報が含まれているかどうかを判断すれば足りるので，上記付加情報の有無の判断をより確実及び迅速に行うことが可能となる。更に，上記付加情報が，原稿の主走査方向及び／又は副走査方向に印字されたものであれば，上記バーコード等の認識コードからなる付加情報の有無の判断を容易にし，誤判断が減少され得る。
【発明の効果】
【０００７】
以上説明したように，本発明によれば，読み取られた原稿の両面の画像データが記憶され，記憶された画像データに所定の付加情報が含まれているかどうかが判断され，かかる判断結果に基づいて，片面付加情報が含まれている場合は上記原稿の片面の画像データが出力され，両面の付加情報が含まれていると判断された場合は両面の画像データが出力されるため，仮に，必要な画像データが形成された裏紙を原稿として読み取らせた場合であっても，原稿面の必要な画像データのみが出力され，原稿面の不必要な画像データは出力されることがないため，従来，不必要な出力処理をすることにより消費していた電力，現像剤の無駄を排除し，経済性が高く，且つ，処理速度が速い画像処理が実現され得る。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るデジタル複合機Ｘの模式断面図，図２は本発明の実施の形態に係るデジタル複合機Ｘのシステムブロック図，図３は本発明の実施の形態に係るデジタル複合機Ｘの制御部１０により実行される付加情報判断処理の手順を説明するフローチャートである。
【０００９】
まず，図１の断面図を用いて，本発明の一実施の形態に係る画像処理装置の一例であるデジタル複合機Ｘの概略構成及びその動作について説明する。尚，本デジタル複合機Ｘは画像処理装置の一例にすぎず，他の例として，複写機，ファクシミリ装置，印刷機，プリンタ装置，スキャナ装置等であってもかまわない。
本デジタル複合機Ｘは，スキャナ機能，複写機能，プリンタ機能，ＦＡＸ機能等の出力機能を有し，操作表示部３０（図２）からの操作入力や，ネットワークを介して接続されたパーソナルコンピュータ等の外部端末装置から出力されたジョブ信号に応じた上記出力機能が，制御部１０（図２）によって選択され，選択された出力機能に応じた処理が実行される。
図１に示すように，本デジタル複写装置Ｘは，大別すると，画像形成装置本体１００と，この画像形成装置本体１００の上面に設けられた自動原稿送り装置（ＡＤＦ）２００と，上記画像形成装置本体１００の側面であって，画像形成処理後の記録紙が排出される側に設けられたフィニッシャー３００（後処理手段）と，により構成されている。
上記画像形成装置本体１００は，その下方に複数の給紙カセット１０２，１０３（給紙手段）を有し，その上方には両面ユニット１０１が配置され，更にその上方には画像形成部Ａ及び定着装置１０４が配設されている。
上記自動原稿送り装置（ＡＤＦ）２００は，複数の原稿Ｓ１をセットする原稿セット部２０３と，この原稿セット部２０３にセットされた原稿Ｓ１を順次１部ずつ原稿搬送路に送り出す原稿給紙ローラ２１０と，上記原稿搬送路内に設けられ，搬送ローラ２１３により搬送された原稿Ｓ１の表面の画像データを読み取るＣＣＤ或いはＣＭＯＳ等からなる第１の画像読取部２０１（両面読取手段の一例）と，裏面の画像データを読み取る第２の画像読取部２０２（両面読取手段の一例）と，原稿Ｓ１を原稿排出部２１６へ排出する原稿排出ローラ２１５と，原稿Ｓ１をフィニッシャー３００へ送り出すフィニッシャー搬送ローラ２１４とを備えて構成されている。
フィニッシャー３００は，搬送された用紙等を反転させる用紙反転部３０２（用紙反転手段）と，搬送された用紙をその種類別に分別して所定の排紙トレイ３２０ａ〜３２０ｃに排紙する分別排出装置３０３（分別排出手段）とを備えて構成されている。印刷処理時には上記画像形成装置本体１００から搬送された記録紙は，上記分別排出装置３０３により，予め定められた排紙トレイへ排出される。
【００１０】
ここで，本デジタル複合機Ｘにおいて複写処理が実行される場合の動作の概略について説明する。
ＡＤＦ２００の原稿セット部２０３に原稿Ｓ１がセットされた後，ユーザにより給紙カセット１０２，１０３に記録紙が装着され，上記画像形成装置本体１００の上面部１１６に配置された液晶タッチパネル等の操作表示部３０（図２）に設けられた入力キーの操作によって，印刷枚数，印刷倍率等が入力され，記録紙の種別の選択，両面印刷モード或いは片面印刷モードの選択等の各機能の設定が行われる。上記設定が完了し，ユーザにより操作表示部３０上のスタートキーが入力操作されると，コピー動作が開始される。尚，本実施形態においては上記給紙カセット１０２には片面使用済みのいわゆる裏紙Ｓ２が収容され，上記給紙カセット１０３には両面未使用の新用紙Ｓ３が収容されているものとする。
【００１１】
スタートキーが入力操作されると，原稿給紙ローラ２１０によって，原稿セット部２０３にセットされた原稿Ｓ１が１部ずつ原稿搬送路へ送り出される。上記原稿給紙ローラ２１０により送り出された原稿Ｓ１は搬送ローラ２１３等により上記第１の画像読取部２０１と第２の画像読取部２０２へ搬送される。上記第１の画像読取部２０１及び第２の画像読取部２０２により略同時に読み取られた両面画像データは，不図示の光電変換装置により電気的な画像情報信号に変換された後，いったん記憶部２０の画像データ領域２１（図２）に記憶される。上記画像データ領域２１に記憶された画像データは，ユーザにより設定された各機能に基づいて画像処理が実行される。ここで，両面印刷モードが設定されている場合は原稿の両面画像が記録紙の両面に形成され，片面印刷モードが設定されている場合は上記第１の画像読取部２０１により読み取られた原稿の表面の画像が記録紙の片面に形成される。このとき，図２に示される画像形成装置本体１００の制御部１０が有する付加情報判断機能１１により，後述する付加情報が上記画像データ領域２１に記憶された画像データ内に有すると判断された場合は，その付加情報に応じた画像処理が実行される。かかる付加情報判断機能１１については後段にて詳説する。
記録紙として裏紙Ｓ２が選択設定されている場合は，上記スタートキーが入力操作されると，給紙ローラ１１２が回転し，裏紙Ｓ２が収容された給紙カセット１０２から裏紙Ｓ２が搬送路に送り出され，記録紙として新用紙Ｓ３が選択設定されている場合は，給紙ローラ１１３が回転し，新用紙Ｓ３が収容された給紙カセット１０３から新用紙Ｓ３が搬送路に送り出される。搬送路に送り出された記録紙は搬送ローラ１１４によりレジストローラ１１７に送達される。
【００１２】
上記画像形成部Ａは，静電潜像を担持する感光体ドラム１０５と，その周囲に，上記感光体ドラム１０５の表面を一様に帯電させる帯電装置１０６，上記感光体ドラム１０５の表面にレーザービームを照射して静電潜像を形成する不図示の露光装置，上記静電潜像を現像する現像装置１０７，現像されたトナー画像を記録紙に転写する転写装置１０９，転写後の感光体ドラム１０５の表面に残存するトナー粒子を除去するクリーニング装置１０８等が配設されて構成されている。感光体ドラム１０５は，例えばアルミ円筒の表面に感光層が形成されており，図１において時計方向に回転駆動される。帯電装置１０６は回転する感光体ドラム１０５の表面をコロナ放電等により数百Ｖに帯電させる。メインチャージャー１０６よりも回転方向下流側の感光ドラム１０５の表面には，不図示のレーザ発信器から出射されたレーザビームが照射されて静電潜像が形成される。
【００１３】
現像装置１０７では現像ローラが回転して，現像ローラ表面に形成された薄層が感光体ドラム１０５の表面に接触し，感光体ドラム１０５の表面上の静電潜像に帯電したトナーを付着させてトナー画像が形成される。上記レジストローラ１１７に送達された記録紙は，レジストローラ１１７によって，上記感光体ドラム１０５の表面に形成されたトナー画像の先端部（画像形成開始部）と記録紙Ｓ２の先端部とが同期するよう上記画像形成部Ａの転写装置１０９に送り出される。上記転写装置１０９では，上記記録紙が上記感光体ドラム１０５とその周速と同じ速度で移動する転写ベルトとの間に挟持された状態で搬送されながら帯電されて上記トナー画像が上記裏紙Ｓ２上に転写される。転写後に上記感光体ドラム１０５の表面上に残留したトナーや他の付着物は，転写装置２０の下流側に配置されたクリーニング装置１０８によって除去される。
【００１４】
上記転写装置１０９によってトナー像が転写された記録紙は，その搬送方向下流側に設けられた定着装置１０４に運ばれ，定着装置１０４の定着ローラとこれに対向する加圧ローラとの間を通り，記録紙上のトナーが内部にヒータを備えた定着ローラの熱によって溶融定着される。加圧ローラは，上記記録紙を上記定着ローラに押し付けて，トナーの定着を確実にする。ここで，両面印刷モードが選択されている場合は，定着装置１０４を通過した記録紙は，両面ユニット１０１へ搬送され，該両面ユニット１０１において表面と裏面とが反転され，記録紙の未使用面（非画像形成面）に画像を形成するために再度画像形成部Ａへ搬送される。一方，片面印刷モードが選択されている場合は，両面ユニット１０１へは搬送されずに定着装置下流側に配置された搬送ローラ１１５によりフィニッシャー３００へ搬送される。尚，両面印刷がなされた記録紙も上記定着装置１０４を通過した後に，搬送ローラ１１５によりフィニッシャー３００へ搬送される。
フィニッシャー３００へ搬送された記録紙は，搬送ローラ３１５，排紙ローラ３１７等を介して排紙トレイ３２０へ排出される。
【００１５】
次に，図２のブロック図を用いて，本発明の一実施形態に係るデジタル複合機Ｘのシステムの概略について説明する。
本デジタル複合機Ｘは，システムバス４０を介して，画像形成装置本体１００を構成する制御部１０，記憶部２０及び操作表示部３０と，自動原稿送り装置（ＡＤＦ）２００を構成する第１の画像読取部２０１，第２の画像読取部２０２と，フィニッシャー３００を構成する用紙反転部３０２，分別排出装置３０３とが接続されて構成されている。上記制御部１０は，ＲＡＭ，ＣＰＵ等からなり，上記各部を統括制御する。かかる制御部は，付加情報判断機能１１，画像データ出力機能１２を備えて構成されている。尚，これらの機能を達成するための手段が，付加情報判断手段，画像データ出力手段である。かかる手段は，具体的には，制御部１０をコントロールするプログラムによって構成される。
上記記憶部２０は，ＲＯＭやフラッシュメモリ等の不揮発性メモリやハードディスク等からなるものである。この記憶部２０の画像データ領域２１には上記第１の画像読取部２０１或いは上記第２の画像読取部２０２により読み取られた原稿の表面或いは両面の画像データが記憶され，付加情報領域２２には後述する付加情報が記憶されている。尚，本デジタル複合機Ｘでは，上記記憶部２０が上記画像形成装置本体１００内部に設けられた構成をしているが，上記画像形成装置本体１００の外部に設けられた不揮発性メモリやハードディスク等の記憶装置として構成されていても差し支えない。
【００１６】
上記付加情報は，複写される原稿面（複写対象面）がどの面であるかを示すものであればよく，例えば，複写対象面が原稿の片面のみである場合はそのことを示す片面付加情報，複写対象面が原稿の両面である場合はそのことを示す両面付加情報であることが考えられる。もちろん，上記付加情報は原稿の複写対象面に印字されていることが望ましいが，複写対象面が原稿の両面である場合は，上記両面付加情報を原稿のいずれか一方の面に付加されていれば，両面とも複写対象であることを認識するのに十分である。上記付加情報は，例えば，「片面」，「両面」等の印字情報や印章，或いは，バーコード等の認識コード等のいずれか１つ或いは複数の組合せからなるものであってもよい。
【００１７】
上記分別排出装置３０３は，フィニッシャー３００に設けられ，用紙を搬送する搬送ローラ３１５，用紙を上記用紙反転部３０２へ導く搬送ローラ３１６，用紙を搬送する搬送路，用紙反転部３０２等が設けられて構成されている。上記分別排出装置３０３は，フィニッシャー３００に搬送された用紙をその種類別に分別して所定の排紙トレイに排出するものであり，例えば，上記制御部１０から出力される分別排出信号を受信することにより上記分別排出装置３０３を上下方向に移動させて用紙を所定の排紙トレイ３２０ａ〜３２０ｃへ排出する装置である。
上記用紙反転部３０２は，フィニッシャー３００内の分別排出装置３０３に設けられている。搬送ローラ３１６により上記用紙反転部３０２へ搬送された用紙は，上記用紙反転部３０２で表面と裏面とが反転させられ，その後，排紙ローラ３１７により所定の排紙トレイ３２０へ排出される。例えば，上記制御部１０から出力される用紙反転信号を受信することによりフィニッシャー３００或いは画像形成装置本体１００から搬送された用紙が上記用紙反転装置３０２へ案内されて反転される。
【００１８】
ここで，上記制御部１０が有する付加情報判断機能１１及び画像データ出力機能１２について説明する。
付加情報判断機能１１とは，上記画像データ記憶領域２１に記憶された原稿の画像データに所定の付加情報が含まれているかどうかを判断する機能であって，具体的には，上記データ記憶領域２１に記憶された原稿の画像データ内の所定の画像データと，上記付加情報記憶領域２２に予め記憶された上記付加情報との同一性の有無を判断することにより上記画像データに所定の付加情報が含まれているかどうかを判断する機能である。この場合，上記付加情報が，原稿の周辺部，望ましくは右上端部，中央上端部，左上端部，右下端部，中央下端部，左下端部のいずれかの端部或いは複数の端部に印字されたものであれば，上記各部に上記付加情報が含まれているかどうかを判断すれば足りるので，上記付加情報の有無の判断をより確実及び迅速に行うことが可能となる。更に，上記付加情報が，原稿の主走査方向及び／又は副走査方向に印字されたものであれば，上記バーコード等の認識コードからなる付加情報の有無の判断を容易にし，誤判断を減少させることができる。
【００１９】
画像データ出力機能１２とは，上記付加情報判断機能１１による判断結果に基づいて，原稿の片面の画像データ或いは両面の画像データを出力する機能であって，例えば，読み取られた原稿の画像データに上記片面付加情報が含まれている場合は，上記片面付加情報を有する原稿面の画像データを出力し，上記両面付加情報が含まれている場合は，上記原稿の両面の画像データを出力する機能である。
【００２０】
ここで，図３のフローチャートを用いて，本発明の実施の形態にかかるデジタル複合機Ｘの制御部１０により実行される付加情報判断処理の手順について説明する。Ｓ１０，Ｓ２０…は処理手順（ステップ）番号を示す。処理はステップＳ１０より開始される。
ユーザにより操作表示部３０に設けられたスタートキーが入力操作されると，自動原稿送り装置２００にセットされた原稿Ｓ１が原稿搬送路に送り出され，上記第１の画像読取部及び第２の画像読取部により原稿Ｓ１の両面の画像データが略同時に読み取られ，読み取られた原稿が上記画像データ記憶領域２１に記憶される。
ステップＳ１０では，制御部１０により，読み取られた原稿の両面に画像データが存在するかどうかが判断される。かかる判断は，具体的には，上記画像データ記憶領域２１に記憶された原稿の表面画像データ及び裏面画像データのそれぞれに対してある一定以上の画像データが存在するかどうかを判断することにより行われる。ステップＳ１０において，原稿の両面のそれぞれに対して一定量の画像データが存在するため，原稿の両面に画像データが存在すると判断された場合は，続いてステップＳ４０において，原稿両面の画像データに上記付加情報領域２２に記憶された両面付加情報が含まれているかどうかが判断される。かかる判断は，前記付加情報判断機能１１により両面付加情報が含まれているかどうかが判断される。ここで，両面付加情報が含まれていると判断されると，処理はステップＳ６０へ進む。またステップＳ４０で両面付加情報が含まれていないと判断されると，続いてステップＳ５０でステップＳ４０と同様にして，原稿両面の画像データに上記付加情報領域２２に記憶された片面付加情報が含まれているかどうかが判断される。ここで，片面付加情報が含まれていると判断されると，処理はステップＳ７０に進み，上記片面付加情報が含まれる原稿面の画像データが印刷出力され，その後，処理はステップＳ８０に進む。また，片面付加情報が含まれていないと判断されると，即ち，ステップＳ１０で両面に画像データが存在すると判断されながら上記付加情報が何ら含まれていないと判断されると処理はステップＳ６０に進み，原稿両面の画像データが印刷出力され，その後，処理はステップＳ８０に進む。このステップＳ４０及びＳ５０においてなされる判断処理は，制御部１０が有する付加情報判断機能１１により実行される。
【００２１】
ステップＳ１０において，原稿の両面に画像データが存在しないと判断されると，続いて，ステップＳ２０で，原稿のいずれか一方の面に画像データが存在するかどうかが判断される。かかる判断は，上記画像データ記憶領域２１に記憶された原稿の表面画像データ及び裏面画像データのいずれか一方に一定以上の画像データが存在するかどうかを判断することにより行われる。ここで，原稿の片面にのみ画像データが存在すると判断された場合は，処理はステップＳ７０に進み，画像データが存在する原稿面の画像データが印刷出力され，その後，処理はステップＳ８０に進む。原稿の片面に画像データが存在しないと判断された場合，即ち，原稿には画像データが存在しないと判断された場合は，原稿は白紙原稿であると考えられるため，この場合は原稿画像の出力処理は実行されない（Ｓ３０）。その後，処理はステップＳ８０に進む。
【００２２】
ステップＳ８０では，例えば原稿搬送路中に設けられたフォトセンサ等の原稿検知センサの出力信号の有無を検出することにより，次の原稿が存在するかどうかが判断される。ここで，次の原稿が存在すると判断されるとステップＳ１０から再度一連の処理が実行される。そして，次の原稿が存在しないと判断されると付加情報判断処理は終了する。
【実施例】
【００２３】
上記実施の形態では，主としてデジタル複合機Ｘにおける複写処理について説明してきたが，特にこれに限定されることはない。言うまでもなく，上記デジタル複合機Ｘに備えられたスキャナ機能によるスキャン処理にも本発明は適用され得る。即ち，上記自動原稿送り装置２００に設けられた第１の画像読取部２０１と第２の画像読取部２０２により略同時に読み取られ，上記画像データ領域２１に記憶された画像データに所定の付加情報が含まれているかどうかが判断され，その判断結果に基づいて，例えば，読み取られた原稿の画像データに片面付加情報が含まれている場合は，上記片面付加情報を有する原稿面の画像データを予め登録されたアドレスへ出力し，両面付加情報が含まれている場合は，原稿の両面の画像データを予め登録されたアドレスへ出力するよう構成されたものであってもよい。
【図面の簡単な説明】
【００２４】
【図１】本発明の実施の形態に係るデジタル複合機Ｘの模式断面図。
【図２】本発明の実施の形態に係るデジタル複合機Ｘのシステムブロック図。
【図３】本発明の実施の形態に係るデジタル複合機Ｘの制御部１０により実行される付加情報判断処理の手順を説明するフローチャート。
【符号の説明】
【００２５】
１０…制御部
２０…記憶部
３０…操作表示部
４０…システムバス
１００…画像形成装置本体
１０１…両面ユニット
１０２，１０３…給紙カセット
１１２，１１３…給紙ローラ
２００…自動原稿送り装置
２０１…第１の画像読取部
２０２…第２の画像読取部
３００…フィニッシャー
３０２…用紙反転部
３０３…用紙分別排出装置
３２０…排紙トレイ
【図１】
2005051484.tif 000003
【図２】
2005051484.tif 000004
【図３】
2005051484.tif 000005